(57)【要約】【課題】使用者が容易に清掃することができ、高い清掃性ひいては清潔性を得ることが可能な浴室用カウンターを提供することを目的とする。【解決手段】本発明にかかる浴室用カウンターの構成は、浴室の壁に固定される２以上のブラケットと、ブラケットに着脱可能に支持される棚板とを含み、ブラケットは、上下方向に延びて前記浴室の壁に固定される柱部と、柱部の上端より下がった位置から壁から離れる方向である手前側に向かって延びるアームと、アームの先端から上方に向かって延びて屈曲して更に手前側に向かって延びるフックと、を有し、棚板は、下面に形成された凹部と、凹部の手前側の縁から壁に向かって突出する爪部と、を有し、柱部の前面からフックの先端までの長さより、棚板の後面から爪部の先端までの長さのほうが短く、棚板をアームに取り付けた状態において、フックが棚板の爪部に係合していることを特徴とする。【選択図】図２
2018099396.tif 000002
【特許請求の範囲】
【請求項１】
浴室の壁に固定される２以上のブラケットと、前記ブラケットに着脱可能に支持される棚板とを含む浴室用カウンターであって、
前記ブラケットは、
上下方向に延びて前記浴室の壁に固定される柱部と、
前記柱部の上端より下がった位置から壁から離れる方向である手前側に向かって延びるアームと、
前記アームの先端から上方に向かって延びて屈曲して更に手前側に向かって延びるフックと、
を有し、
前記棚板は、
下面に形成された凹部と、
前記凹部の手前側の縁から壁に向かって突出する爪部と、
を有し、
前記柱部の前面から前記フックの先端までの長さより、前記棚板の後面から前記爪部の先端までの長さのほうが短く、
前記棚板を前記アームに取り付けた状態において、前記フックが該棚板の爪部に係合していることを特徴とする浴室用カウンター。
【請求項２】
当該浴室用カウンターは、前記柱部の前面から前記棚板の上に突出し、該棚板の後端の上方への移動を規制する規制部材を更に含むことを特徴とする請求項１に記載の浴室用カウンター。
【請求項３】
前記規制部材は、前記柱部の前面から手前側に向かって突出するリブまたはフランジであることを特徴とする請求項２に記載の浴室用カウンター。
【発明の詳細な説明】
【技術分野】
【０００１】
本発明は、浴室内に設けられて物品を載置することが可能な浴室用カウンターに関するものである。
【背景技術】
【０００２】
従来から浴室の洗い場には、物品を載置する浴室用カウンターが設けられている（例えば特許文献１）。これにより、浴室で使用する洗面器や小物等の物品を浴室用カウンターに置くことができ、使用者が風呂椅子に座ったままで身体や髪を洗ったりすることが可能となる。特に特許文献１では、浴室の壁に固定した支持材に天板を支持させた浴室用カウンターが開示されている。これによれば、浴室の壁と天板とを離間して配置することにより、それらの間に入隈が生じないため清掃が容易になるとしている。
【先行技術文献】
【特許文献】
【０００３】
【特許文献１】特許第５８６７７９２号
【発明の概要】
【発明が解決しようとする課題】
【０００４】
上述した特許文献１の浴室用カウンターでは、天板がボルト等の締結具によって支持材に固定されため、天板を支持材から取り外すことができない。したがって、特許文献１の浴室用カウンターは、天板と浴室の壁とが接している浴室用カウンターよりは清掃性に優れているものの、天板の下面や支持材を清掃する際に使用者は天板の下側に屈むような姿勢を強いられる。このため、特許文献１の浴室用カウンターは、清掃性の観点において更なる改善の余地を有していた。
【０００５】
本発明は、このような課題に鑑み、使用者が容易に清掃することができ、高い清掃性ひいては清潔性を得ることが可能な浴室用カウンターを提供することを目的としている。
【課題を解決するための手段】
【０００６】
上記課題を解決するために、本発明にかかる浴室用カウンターの代表的な構成は、浴室の壁に固定される２以上のブラケットと、ブラケットに着脱可能に支持される棚板とを含む浴室用カウンターであって、ブラケットは、上下方向に延びて前記浴室の壁に固定される柱部と、柱部の上端より下がった位置から壁から離れる方向である手前側に向かって延びるアームと、アームの先端から上方に向かって延びて屈曲して更に手前側に向かって延びるフックと、を有し、棚板は、下面に形成された凹部と、凹部の手前側の縁から壁に向かって突出する爪部と、を有し、柱部の前面からフックの先端までの長さより、棚板の後面から爪部の先端までの長さのほうが短く、棚板をアームに取り付けた状態において、フックが棚板の爪部に係合していることを特徴とする。
【０００７】
上記構成によれば、棚板がブラケットに対して着脱可能である。詳細には、ブラケットは、柱部およびアームを有し、柱部において浴室の壁に固定される。そして、柱部から手前側に向かって延びるアームの上に棚板が着脱可能に取り付けられる。したがって、清掃の際には棚板をブラケットから取り外すことができ、棚板全体を容易に清掃することが可能となる。また棚板を取り外せばブラケットが露出するため、ブラケットの清掃も容易である。これにより、浴室用カウンターにおいて高い清掃性ひいては清潔性を確保することができる。
【０００８】
特に上記構成では、ブラケットは、アームの先端にフックを有し、棚板は、下面に形成された凹部および爪部を有する。柱部の前面からフックの先端までの長さより、棚板の後面から爪部の先端までの長さのほうが短く設定されているため、棚板をアームに取り付けると、アームの先端近傍においてフックが爪部と係合する。したがって、アームに棚板を取り付けた状態での安定性を十分に確保することができる。
【０００９】
当該浴室用カウンターは、柱部の前面から棚板の上に突出し、棚板の後端の上方への移動を規制する規制部材を更に含むとよい。かかる構成によれば、規制部材によって棚板の後端の上方への移動が規制される。このため、棚板に対して下方から力がかかった際におけるアームからの棚板の脱離を好適に防止することができる。したがって、棚板を着脱可能としつつ、十分な安定性を確保することが可能である。
【００１０】
上記規制部材は、柱部の前面から手前側に向かって突出するリブまたはフランジであるとよい。かかる構成によれば、部品点数を削減しつつ、上述した効果を得ることが可能である。
【発明の効果】
【００１１】
本発明によれば、使用者が容易に清掃することができ、高い清掃性ひいては清潔性を得ることが可能な浴室用カウンターを提供することができる。
【図面の簡単な説明】
【００１２】
【図１】本実施形態にかかる浴室用カウンターを備える浴室を例示する図である。
【図２】本実施形態にかかるカウンターの全体斜視図である。
【図３】ブラケットの斜視図である。
【図４】ブラケットへの棚板の着脱方法を説明する図である。
【図５】規制部材の他の例を示す図である。
【発明を実施するための形態】
【００１３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１４】
図１は、本実施形態にかかる浴室用カウンター（以下、カウンター１００と称する）を備える浴室１０２を例示する図である。図１に示すように、浴室１０２には、使用者が入浴する浴槽１０４が設けられていて、浴槽１０４には洗い場１０８が隣接して設けられている。また浴室１０２には、洗顔や洗髪の際に用いられる水栓１０６が設けられている。本実施形態のカウンター１００は、浴室の壁１０２ａに設置されている。
【００１５】
図２は、本実施形態にかかるカウンター１００の全体斜視図である。図２（ａ）は、カウンター１００を斜め上方から観察した状態を示していて、図２（ｂ）は、カウンター１００を斜め下方から観察した状態を示している。図２（ａ）および（ｂ）に示すように、本実施形態のカウンター１００は、浴室１０２の壁１０２ａ（図１参照）に固定される２つのブラケット１２０、およびブラケット１２０に着脱可能に支持される棚板１１０を含んで構成される。
【００１６】
図３は、ブラケット１２０の斜視図であり、図３（ａ）は、ブラケット１２０を前方から観察した斜視図であり、図３（ｂ）は、ブラケット１２０を壁側から観察した斜視図である。図３（ａ）および（ｂ）に示すように、ブラケット１２０は、柱部１２２、アーム１２４および規制部材１３０を含んで構成される。
【００１７】
柱部１２２は、上下方向に延びる部位である。柱部１２２は、ネジ穴１２２ａ・１２２ｂを有し、かかるネジ穴１２２ａ・１２２ｂに挿通されるネジ等の固定具（不図示）によって、浴室１０２の壁１０２ａに固定される。アーム１２４は、柱部１２２の上端より下がった位置で壁から離れる方向（以下、手前側と称する）に向かって延びる部位であり、棚板１１０を着脱可能に支持する。また本実施形態では、柱部１２２とアーム１２４とを連結する連結部１２８を設けている。これにより、ブラケット１２０の強度を高めることが可能となる。
【００１８】
規制部材１３０は、棚板１１０の後端の上方への移動を規制する。本実施形態では規制部材１３０は、柱部１２２の前面１２２ｄの上端から手前側に向かって突出するリブである。そして、図２（ａ）に示すように棚板１１０がアーム１２４に支持されている状態において、規制部材１３０は棚板１１０の上側に配置される。
【００１９】
また本実施形態のカウンター１００では、図３（ａ）および（ｂ）に示すように、アーム１２４は、先端にフック１２６を有する。図３に示すように、フック１２６は、アーム１２４の先端から上方に向かって延びて屈曲し、更に壁１０２ａから離れる方向に向かって延びている。
【００２０】
一方、図２（ｂ）に示すように、棚板１１０は、下面１１０ａに凹部１１２および爪部１１４を有する。凹部１１２は、棚板１１０の下面にライン状に形成された溝であり、凹部１１２の手前側の縁（壁から離れた側の縁）から壁１０２ａに向かって爪部１１４が突出している。
【００２１】
図４は、ブラケット１２０への棚板１１０の着脱方法を説明する図であり、ブラケット１２０および棚板１１０を側方から観察した状態を示している。棚板１１０をブラケット１２０に取り付ける際には、まず図４（ａ）に示すように、棚板１１０をアーム１２４上に配置し、アーム１２４の先端のフック１２６を棚板１１０の下面の凹部１１２内に挿入する。そして、図４（ｂ）に示すように、棚板１１０を壁側に向かって移動させる。これにより、図４（ｃ）に示すようにフック１２６が爪部１１４に係合し、棚板１１０がブラケット１２０に支持される。
【００２２】
図４（ｃ）に示すように、本実施形態のカウンター１００では、柱部１２２の前面１２２ｄからフック１２６の先端までの長さＬ１より、棚板１１０の後面１１０ｂから爪部１１４の先端までの長さＬ２のほうが短く設定される。これにより、棚板１１０をアーム１２４に取り付けた状態において、棚板１１０の後面１１０ｂと柱部１２２の前面１２２ｄとを突き当てた状態でフック１２６を爪部１１４に確実に係合させることが可能となる。
【００２３】
また上記構成によれば、図４（ｃ）に示すように棚板１１０をアーム１２４に支持した際に柱部１２２の上端の規制部材１３０が柱部１２２の前面１２２ｄから棚板１１０の上方に延びて突出している状態となる。これにより、ブラケット１２０に取り付けられた棚板１１０の後端の上方への移動が規制される。したがって、棚板１１０に対して下方から力がかかった際におけるアーム１２４からの棚板１１０の脱離を好適に防止することができ、安定性を高めることが可能となる。
【００２４】
特に本実施形態の規制部材１３０は、柱部１２２と一体に形成されたリブである。したがって、部品点数を削減しつつ、棚板１１０の後端の上方への移動を好適に規制することができる。また規制部材１３０と柱部１２２とが一体であることにより、部品の紛失を防ぐことが可能となる。
【００２５】
また本実施形態では、上述したようにアーム１２４の先端にはフック１２６が設けられていて、棚板１１０の下面には、かかるフック１２６が係合される凹部１１２および爪部１１４が設けられている。これにより、アーム１２４と棚板１１０とはアーム１２４の先端においても係合した状態となる。したがって、棚板１１０に対して下方からかかる荷重に対する安定性を更に高めることが可能となる。
【００２６】
棚板１１０に対して上方からかかる荷重に対しては、棚板１１０の下方に位置するアーム１２４によって棚板１１０が支持されているため、高い強度が得られる。また棚板１１０に対して手前側からかかる荷重に対しては、棚板１１０の後方にブラケット１２０の柱部１２２が配置されているため、柱部１２２に突き当たることにより棚板１１０の後方への移動が防がれる。
【００２７】
棚板１１０をブラケット１２０から取り外す際には、取り付けた際の手順と逆に、まず棚板１１０を手前側にスライドさせ、爪部１１４とフック１２６との係合を解除する。そして、棚板１１０を上方に持ち上げることにより、棚板１１０がブラケット１２０から取り外される。
【００２８】
上記説明したように、本実施形態のカウンター１００によれば、棚板１１０がブラケット１２０に対して着脱可能であり、その取り外し作業も容易である。したがって、清掃の際には棚板１１０をブラケット１２０から取り外し、棚板１１０全体を清掃することができる。また棚板１１０を取り外せばブラケット１２０が露出するため、ブラケット１２０の清掃も容易である。これにより、カウンター１００において高い清掃性ひいては清潔性を確保することができる。なお、上記実施形態では、カウンター１００が２つのブラケット１２０を備える構成を例示したが、これに限定するものではなく、ブラケット１２０の数は２つ以上であれば適宜変更することが可能である。
【００２９】
なお、本実施形態では、リブ形状の規制部材１３０を例示したが、本発明はこれに限定するものではない。例えば図５は、規制部材１３０ａの他の例を示す図である。図５に示すように、柱部１２２の上端とアーム１２４との間において、かかる柱部１２２の前面から手前側に向かって突出する規制部材１３０ａを設けることも可能である。この場合、棚板１１０の後面１１０ｂには、規制部材１３０ａと対応する窪み１１０ｃを設ければよい。
【００３０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３１】
本発明は、浴室内に設けられて物品を載置することが可能な浴室用カウンターに利用することができる。
【符号の説明】
【００３２】
１００…カウンター、１０２…浴室、１０２ａ…壁、１０４…浴槽、１０６…水栓、１０８…場、１１０…棚板、１１０ａ…下面、１１０ｂ…後面、１１０ｃ…窪み、１１２…凹部、１１４…爪部、１２０…ブラケット、１２２…柱部、１２２ａ…ネジ穴、１２２ｂ…ネジ穴、１２２ｃ…取付溝、１２２ｄ…前面、１２４…アーム、１２６…フック、１３０…規制部材、１３０ａ…規制部材
【図１】
2018099396.tif 000003
【図２】
2018099396.tif 000004
【図３】
2018099396.tif 000005
【図４】
2018099396.tif 000006
【図５】
2018099396.tif 000007